(57)【要約】【課題】居場所データの入力を省略することが可能な行動把握方法、行動把握装置及びコンピュータプログラムを提供する。【解決手段】スケジュール情報と居場所データとが記憶された携帯端末２０と、端末装置３０とがサーバ１０に接続され、端末装置３０からのスケジュール情報及び居場所データの閲覧要求をサーバ１０で受付け、携帯端末２０からスケジュール情報及び居場所データを取得するシステムにおいて、携帯端末２０は、スケジュール情報から、現在日時に対応する場所データを取得する手段を備え、前記手段によって、居場所データを、スケジュール情報から取得した場所データに更新する。【選択図】　　　　図１
2004046737.tif 000002
【特許請求の範囲】
【請求項１】
時計部と、行動把握対象の移動先に関する場所データ及び日時データを含むスケジュール情報、時計部で計時された時刻の移動先に関する居場所データを記憶する記憶部とを備え、スケジュール情報及び居場所データを更新する情報処理装置を使用した行動把握方法において、
スケジュール情報から、時計部で計時された時刻に対応する場所データを取得するステップと、
居場所データを、スケジュール情報から取得した場所データに更新するステップと
を有することを特徴とする行動把握方法。
【請求項２】
時計部と、行動把握対象の移動先に関する場所データ及び日時データを含むスケジュール情報、時計部で計時された時刻の移動先に関する居場所データを記憶する記憶部とを備え、スケジュール情報及び居場所データを更新する行動把握装置において、
スケジュール情報から、時計部で計時された時刻に対応する場所データを取得する手段を備え、
居場所データを、スケジュール情報から取得した場所データに更新すべくなしてあることを特徴とする行動把握装置。
【請求項３】
時刻を計時し、行動把握対象の移動先に関する場所データ及び日時データを含むスケジュール情報を記憶するコンピュータに、計時された時刻の移動先に関する居場所データを記憶させるコンピュータプログラムにおいて、
コンピュータに、スケジュール情報から、計時された時刻に対応する場所データを取得させる手順と、
コンピュータに、居場所データを、スケジュール情報から取得した場所データに更新させる手順と
を含むことを特徴とするコンピュータプログラム。
【請求項４】
時刻を計時し、行動把握対象の移動先に関する場所データ及び日時データを含むスケジュール情報を記憶するコンピュータに、計時された時刻の移動先に関する居場所データを記憶させるコンピュータプログラムにおいて、
居場所データに使用できる場所データ及び該場所データに対応する位置情報が予め記憶されており、
コンピュータに、計時された時刻の移動先に関する位置情報を受付けさせる手順と、
コンピュータに、受付けた位置情報に対応する場所データを取得させる手順と、
コンピュータに、居場所データを、取得した場所データに更新させる手順と
を含むことを特徴とするコンピュータプログラム。
【請求項５】
時刻を計時し、行動把握対象の移動先に関する場所データ及び日時データを含むスケジュール情報を記憶するコンピュータに、計時された時刻の移動先に関する居場所データを記憶させるコンピュータプログラムにおいて、
居場所データの修正条件及び修正条件を満たす場合の修正用居場所データが予め記憶されており、
コンピュータに、修正条件に基づいて、居場所データを修正するか否かを判定させる手順と、
コンピュータに、判定に応じて居場所データを修正させる手順と
を含むことを特徴とするコンピュータプログラム。
【発明の詳細な説明】
【０００１】
【発明の属する技術分野】
本発明は、行動把握対象の居場所データを記憶する行動把握方法、行動把握装置、居場所データをコンピュータに記憶させるコンピュータプログラムに関する。
【０００２】
【従来の技術】
組織又はグループ等の各構成員のスケジュール又は居場所等の行動を把握する方法として、数日又は数週間先までの予定を把握するスケジュール掲示システムを使用したり、現在の居場所を把握する居場所掲示システムを使用する場合が多い。
【０００３】
また、スケジュール又は居場所の追加又は閲覧等を、会社等の建物内だけでなく、外出先からも行えるように、スケジュール掲示システム及び居場所掲示システムは、Ｗｅｂサーバ等の外部からのアクセスが容易な装置を用いて運用されていることが多い。
【０００４】
【発明が解決しようとする課題】
しかし、スケジュール掲示システムと居場所掲示システムとは別システムであり、両者は別々に運用されている。例えば、居場所掲示システムは現在の居場所を利用者が逐次入力するシステムであるが、スケジュール掲示システムは数日又は数週間先の予定を予め利用者が入力するシステムである。そのため、スケジュール掲示システムに以前入力した打合せ予定場所を、打合せ時に居場所掲示システムに再度入力する必要が生じる。両システムに同じ場所を入力するのは、２度手間である。
【０００５】
また、居場所掲示システムは、現在の居場所を利用者が逐次入力するシステムであるため、入力を忘れることが多々起こる。例えば、打合せ等で外出する際に、居場所掲示システムへの入力を忘れた場合、居場所掲示システムの登録データは「在席」のままであり、誤った居場所が掲示されることになる。
【０００６】
また、例えば、帰宅時に、居場所掲示システムへの入力を忘れた場合、居場所掲示システムの登録データは「在席」のままであり、誤った居場所が掲示されることになる。居場所掲示システムが「在席」と掲示しても、実際は外出又は帰宅していることが多々起こる。
【０００７】
本発明は斯かる事情に鑑みてなされたものであり、居場所データの入力を省略することが可能な行動把握方法、行動把握装置及びコンピュータプログラムを提供することを目的とする。
【０００８】
【課題を解決するための手段】
本発明に係る行動把握方法は、時計部と、行動把握対象の移動先に関する場所データ及び日時データを含むスケジュール情報、時計部で計時された時刻の移動先に関する居場所データを記憶する記憶部とを備え、スケジュール情報及び居場所データを更新する情報処理装置を使用した行動把握方法において、スケジュール情報から、時計部で計時された時刻に対応する場所データを取得するステップと、居場所データを、スケジュール情報から取得した場所データに更新するステップとを有することを特徴とする。
【０００９】
また、本発明に係る行動把握装置は、時計部と、スケジュール情報及び居場所データを記憶する記憶部とを備え、スケジュール情報及び居場所データを更新する行動把握装置において、スケジュール情報から、時計部で計時された時刻に対応する場所データを取得する手段を備え、居場所データを、スケジュール情報から取得した場所データに更新すべくなしてあることを特徴とする。
【００１０】
また、本発明に係るコンピュータプログラムは、時刻を計時し、スケジュール情報を記憶するコンピュータに、居場所データを記憶させるコンピュータプログラムにおいて、コンピュータに、スケジュール情報から、計時された時刻に対応する場所データを取得させる手順と、コンピュータに、居場所データを、スケジュール情報から取得した場所データに更新させる手順とを含むことを特徴とする。
【００１１】
また、本発明に係るコンピュータプログラムは、時刻を計時し、スケジュール情報を記憶するコンピュータに、居場所データを記憶させるコンピュータプログラムにおいて、居場所データに使用できる場所データ及び該場所データに対応する位置情報が予め記憶されており、コンピュータに、計時された時刻の移動先に関する位置情報を受付けさせる手順と、コンピュータに、受付けた位置情報に対応する場所データを取得させる手順と、コンピュータに、居場所データを、取得した場所データに更新させる手順とを含むことを特徴とする。
【００１２】
また、本発明に係るコンピュータプログラムは、時刻を計時し、スケジュール情報を記憶するコンピュータに、居場所データを記憶させるコンピュータプログラムにおいて、居場所データの修正条件及び修正条件を満たす場合の修正用居場所データが予め記憶されており、コンピュータに、修正条件に基づいて、居場所データを修正するか否かを判定させる手順と、コンピュータに、判定に応じて居場所データを修正させる手順とを含むことを特徴とする。
【００１３】
本発明においては、スケジュール情報から、時計部で計時される時刻（日付も含む）に対応する場所データを取得し、スケジュール情報から取得した場所データを居場所データとして記憶する。スケジュール情報には、例えば打合せの予定日時（日時データ）及び予定場所（場所データ）が含まれており、前記予定日時の時間帯の居場所は、前記予定場所であると考えられる。そのため、前記予定日時の時間帯において、前記予定場所を居場所と見なすことができる。上述したスケジュール情報からの場所データの取得は、例えば、居場所データの閲覧要求を受付けた場合に行ったり、１０分等の所定時間間隔で行う。
【００１４】
また、本発明においては、時計部で計時される時刻（日付も含む）における位置情報（以下、現在位置情報）を受付け、受付けた現在位置情報に対応する場所データを取得し、取得した場所データを居場所データとして記憶する。現在位置情報は、例えばＧＰＳ（Ｇｌｏｂａｌ　Ｐｏｓｉｔｉｏｎｉｎｇ　Ｓｙｓｔｅｍ）受信機等から受付ける。また、取引先等の訪問する機会の多い場所及び該場所の位置情報を予め記憶部に記憶しておく。記憶する位置情報は、例えば矩形型の領域を２点で指定することも可能である。受付けた現在位置情報と記憶した位置情報とを比較することにより、予め記憶した取引先等の場所に居ることが検出できると共に、前記場所を居場所データとして記憶することができる。現在位置情報の受付は、例えば、１分等の所定時間間隔で行ったり、居場所データの閲覧要求を受付けた場合に行う。
【００１５】
また、本発明においては、修正条件に基づいて居場所データの修正の有無を判定し、判定に応じて居場所データを修正する。居場所データの修正条件及び修正条件を満たす場合の修正用居場所データは、予め記憶部に記憶されている。例えば、職場以外の場所にいる場合、居場所データには外出先の場所又は「外出」等の状態が記憶されるが、現在時刻が勤務時間外のときは、居場所データを「帰宅」に修正するように修正条件及び修正用居場所データを設定することが可能である。
【００１６】
【発明の実施の形態】
以下、本発明をその実施の形態を示す図面に基づいて具体的に説明する。
図１に本発明に係る行動把握装置（携帯端末２０）を備えた行動把握システムの例を示す。行動把握システムは、サーバ１０と、携帯端末２０と、端末装置３０とを含む。サーバ１０と、携帯端末２０とは、インターネット等の通信ネットワーク４０に接続されている。また、サーバ１０と、端末装置３０とは、社内ＬＡＮ等の通信ネットワーク４２に接続されている。
【００１７】
図２にサーバ１０の例を示す。サーバ１０は、ＣＰＵ（Ｃｅｎｔｒａｌ　Ｐｒｏｃｅｓｓｉｎｇ　Ｕｎｉｔ）１１と、ＤＲＡＭ等のＲＡＭ（Ｒａｎｄｏｍ　Ａｃｃｅｓｓ　Ｍｅｍｏｒｙ）１２と、ハードディスク１３と、フレキシブルディスクドライブ又はＣＤ−ＲＯＭドライブ等の外部記憶手段１４と、マウス及びキーボード等の入力手段１５と、モニタ及びプリンタ等の出力手段１６と、通信ネットワーク４０、４２との通信制御を行う通信手段１７ａ、１７ｂとを備える。
【００１８】
ＣＰＵ１１は、サーバ１０の上述した各部１２〜１７ｂの制御を行う。また、ＣＰＵ１１は、入力手段１５又は通信手段１７ａ，１７ｂから受付けたプログラム又はデータ、ハードディスク１３又は外部記憶手段１４から読み出したプログラム又はデータ等をＲＡＭ１２に記憶し、ＲＡＭ１２に記憶したプログラムの実行又はデータの演算等の各種処理を行い、各種処理結果又は各種処理に用いる一時的なデータをＲＡＭ１２に記憶する。ＲＡＭ１２に記憶した演算結果等のデータは、ＣＰＵ１１により、ハードディスク１３に記憶されたり、出力手段１６又は通信手段１７ａ，１７ｂから出力される。
【００１９】
ハードディスク（アドレス記憶部）１３には、スケジュール及び居場所の把握対象（行動把握対象）であり、携帯端末２０を使用する利用者に関する利用者情報が記憶される。利用者情報は、図３に示すように、各利用者を識別するための利用者番号と、利用者名と、利用者が所持する携帯端末のアドレス（以下、端末アドレス）を含む。端末アドレスは、ＩＰｖ６等の各端末を通信ネットワーク４０上で識別できるアドレスである。
【００２０】
通信手段１７ｂは、端末装置３０から、各携帯端末２０に記憶されているスケジュール情報又は居場所情報（居場所データ）の閲覧要求を受付ける手段として動作する。例えば、スケジュール情報又は居場所情報の閲覧要求と、閲覧対象の利用者の利用者番号を受付ける。ＣＰＵ１１は、閲覧を要求されたスケジュール情報又は居場所情報が記憶されている利用者の携帯端末のアドレスを利用者情報から取得する手段として動作する。
【００２１】
ＣＰＵ１１は、通信手段１７ａから前記取得したアドレスに、スケジュール情報又は居場所情報の送信を要求する。要求したスケジュール情報又は居場所情報を通信手段１７ａで受取ったＣＰＵ１１は、受取ったスケジュール情報又は居場所情報をＲＡＭ１２に記憶する。ＣＰＵ１１は、ＲＡＭ１２に記憶したスケジュール情報又は居場所情報を表示画面用データに編集し、通信手段１７ｂから前記端末装置３０に送信する。
【００２２】
端末装置３０も、図示していないが、サーバ１０と同様に、ＣＰＵと、ＲＡＭと、ハードディスクと、外部記憶手段と、入力手段と、出力手段と、通信手段とを備えている。端末装置３０は、図示しない通信手段からサーバ１０にスケジュール情報又は居場所情報を要求し、要求したデータを受取って表示することが可能である。
【００２３】
図４に携帯端末２０の例を示す。携帯端末２０は、ＣＰＵ２１と、ＤＲＡＭ等のＲＡＭ２２と、フラッシュメモリ２３と、ＲＯＭ２４と、タッチパネル等の入力手段２５と、液晶パネル等の出力手段２６と、通信ネットワーク４０との通信制御を行う通信手段２７と、ＧＰＳ（Ｇｌｏｂａｌ　Ｐｏｓｉｔｉｏｎｉｎｇ　Ｓｙｓｔｅｍ）受信機、無線受信機等が接続される現在位置受付手段２８とを備える。
【００２４】
ＣＰＵ２１は、携帯端末２０の上述した各部２２〜２８の制御を行う。また、ＣＰＵ２１は、入力手段２５又は通信手段２７から受付けたプログラム又はデータ、フラッシュメモリ２３又はＲＯＭ２４から読み出したプログラム又はデータ等をＲＡＭ２２に記憶し、ＲＡＭ２２に記憶したプログラムの実行又はデータの演算等の各種処理を行い、各種処理結果又は各種処理に用いる一時的なデータをＲＡＭ２２に記憶する。ＲＡＭ２２に記憶した演算結果等のデータは、ＣＰＵ２１により、フラッシュメモリ２３に記憶されたり、出力手段２６又は通信手段２７から出力される。
【００２５】
フラッシュメモリ（記憶部）２３には、携帯端末２０の使用者のスケジュールに関するスケジュール情報、携帯端末２０の使用者の現時刻の居場所に関する居場所情報、利用者の居場所の特定に使用する場所情報、利用者の居場所の修正に使用する場所修正情報が記憶されている。現時刻は、ＣＰＵ２１により計時され、計測された時刻及び日付がフラッシュメモリ２３等の不揮発性メモリに記憶される。
【００２６】
スケジュール情報は、図５（ａ）に示すように、各予定を識別するためのスケジュール番号と、予定の日時（日時データ）と、予定の内容と、予定の場所を識別するための場所番号及び場所名（場所データ）とを含む。スケジュール情報は、入力手段２５から入力される。
【００２７】
居場所情報は、図５（ｂ）に示すように、場所を識別するための場所番号と、場所名とを含む。居場所情報は、入力手段２５から入力したり、後述するように、ＣＰＵ２１によって更新する。居場所情報は、場所だけでなく、例えば「帰宅」又は「食事中」等の状態も含む。
【００２８】
場所情報は、図６（ａ）に示すように、場所を識別するための場所番号と、場所名と、場所の位置情報（場所範囲）を含む。場所情報は、例えば取引先等の訪ねる機会の多い場所に関する情報が登録されている。場所範囲は、例えばＧＰＳで検出した緯度及び経度に基づく２次元位置座標で指定する。例えば、２点を指定して矩形領域を指定したり、中点及び半径を指定して円領域を指定することが可能である。また、例えば建物内に複数の無線基地局を設置し、現在位置受付手段２８に接続された無線受信機と通信を行う無線基地局に基づいて、居場所の範囲を取得することも可能である。例えば、高層建築物の各階に無線基地局を設置し、利用者が居る階を特定することが可能である。
【００２９】
場所情報は、例えば会社等の行動を把握する単位内で共通のものを用いる。例えば、スケジュール情報及び居場所情報の場所番号及び場所名に、場所情報の場所番号及び場所名を使用することが可能である。この場合、場所リストの中から場所を選択することが可能になる。場所情報に登録されていない場所は、入力手段２６により、利用者が入力する。例えば、始めて訪ねる場所等は、入力手段２６から入力を行う。
【００３０】
場所修正情報は、図６（ｂ）に示すように、修正後の場所番号（以下、修正後場所番号）と、修正後の場所名（以下、修正後場所名）と、修正対象の場所番号（以下、修正対象場所番号）と、修正対象時間と、修正条件とを含む。修正対象場所番号には、図６（ａ）に示した場所情報の場所番号の何れか１つ又は複数が登録される。
【００３１】
ＣＰＵ２１は、時刻（日付も含む）を計時しており、スケジュール情報から、現在日時に対応する場所番号及び場所名（場所データ）を取得する手段として動作する。ＣＰＵ２１は、居場所情報を、スケジュール情報から取得した場所番号及び場所名に更新する。
【００３２】
現在位置受付手段２８は、現在の位置情報（以下、現在位置情報）を受付ける手段として動作する。受付けた現在位置情報は、ＣＰＵ２１により、ＲＡＭ２２に記憶される。また、ＣＰＵ２１は、受付けた現在位置情報に対応する場所データを取得する手段として動作する。例えば、ＣＰＵ２１により、ＲＡＭ２２に記憶した現在位置情報に対応する位置座標が含まれる場所範囲を、場所情報の中から検索し、検索した場所範囲の場所番号及び場所名を取得する。ＣＰＵ２１により、居場所情報を、取得した場所番号及び場所名に更新する。この場合、急用等のスケジュール情報に登録されてない場所に関しても、場所情報から居場所を取得することが可能になる。
【００３３】
また、ＣＰＵ２１は、場所修正情報に基づいて、居場所情報（居場所データ）を修正するか否かを判定する手段として動作する。例えば、ＣＰＵ２１により、居場所情報の場所番号が、場所修正情報の修正対象場所番号に一致しているか否かを判定し、一致している場合は、修正対象時間及び修正条件を満たすか否かを判定し、満たす場合は、居場所情報（居場所データ）を、修正後居場所番号及び修正後居場所名（修正用居場所データ）に更新する。
【００３４】
例えば、修正対象場所番号を職場及び取引先の場所番号とし、修正対象時間を勤務時間以外の時間とし、修正条件を「ここに居ない」とし、修正後場所名を「帰宅」とした場合、勤務時間外に職場及び取引先にいない場合、居場所情報の場所名は、「帰宅」に修正される。同様に、昼休みの時間帯に社内にいない場合は、居場所情報の場所名を「食事中」に変更すること等が可能である。この場合、所定時間に所定場所に居ない等の条件に応じて、居場所を修正することが可能になる。このような細かな居場所情報の修正を行うことにより、電話の取次ぎ等の対応を正確かつ容易に行うことが可能になる。
【００３５】
通信手段２７を用いて、通信ネットワーク４０に接続された他の装置からコンピュータプログラムを受付けてフラッシュメモリ２３に記憶してＣＰＵ２１に実行させることにより、ＣＰＵ２１を上述した各手段として動作させることが可能である。また、コンピュータプログラムが記録されたフラッシュメモリカード又はＲＯＭカード等の記録媒体を図示しない拡張カードスロットに挿入し、フラッシュメモリ２３に記憶することも可能である。
【００３６】
次に、本発明に係る行動把握装置を用いた行動把握方法について説明する。
図７にスケジュールの閲覧手順の例を示す。本説明においては、端末装置３０からサーバ１０に、利用者Ａのスケジュールの閲覧を要求した場合を例にして説明する。端末装置３０からサーバ１０に、利用者Ａのスケジュールの閲覧を要求する（Ｓ３０）。例えば、サーバ１０が運用するＷｅｂサイトのＨＴＭＬページにアクセスし、利用者Ａの所定日時のスケジュールの閲覧を要求する。
【００３７】
要求を受付け（Ｓ３２）たサーバ１０は、ＣＰＵ１１により、利用者情報から利用者Ａの端末アドレスを取得し（Ｓ３４）、取得した端末アドレスに、利用者Ａの所定日時のスケジュールを要求する（Ｓ３６）。要求を受付け（Ｓ３８）た携帯端末２０は、ＣＰＵ２１により、スケジュール情報から所定日時の利用者Ａのスケジュールを取得し、通信手段２７からサーバ１０に送信する（Ｓ４０）。
【００３８】
スケジュールを受付けたサーバ１０は、ＣＰＵ１１により、受付けたスケジュールをＲＡＭ１２に記憶して表示画面を作成し、作成した表示画面を通信手段１７ｂから端末装置３０に送信する（Ｓ４２）。端末装置３０は、受付けた表示画面の表示を行う（Ｓ４４）。
【００３９】
図８に居場所の閲覧手順の例を示す。上述したスケジュール情報と同様にして、端末装置３０からサーバ１０に、利用者Ａの居場所の閲覧を要求する（Ｓ５０）。要求を受付け（Ｓ５２）たサーバ１０は、ＣＰＵ１１により、利用者情報から利用者Ａの端末アドレスを取得し（Ｓ５４）、取得した端末アドレスに、利用者Ａの居場所を要求する（Ｓ５６）。
【００４０】
要求を受付け（Ｓ５８）た携帯端末２０は、利用者Ａの居場所が居場所情報に登録されている場合（Ｓ６０：ＹＥＳ）は、ＣＰＵ２１により、居場所情報から利用者Ａの居場所を取得（Ｓ６２）してＲＡＭ２２に記憶する。利用者Ａの居場所が居場所情報に登録されていない場合（Ｓ６０：ＮＯ）は、ＣＰＵ２１により、スケジュール情報から利用者Ａの居場所を取得（Ｓ６４）してＲＡＭ２２に記憶する。スケジュール情報に現在時刻の予定場所が登録されていない場合は、ＣＰＵ２１により、後述するように現在位置受付手段２８で受付けた現在位置情報に基づいて居場所を取得したり、居場所の入力を指示するメッセージを、液晶パネル等の出力手段２６に出力し、居場所の入力を受付ける。ＣＰＵ２１により、取得した居場所を通信手段２７からサーバ１０に送信する（Ｓ６６）。
【００４１】
居場所を受付けたサーバ１０は、ＣＰＵ１１により、受付けた居場所をＲＡＭ１２に記憶して表示画面を作成し、作成した表示画面を通信手段１７ｂから端末装置３０に送信する（Ｓ６８）。端末装置３０は、受付けた表示画面の表示を行う（Ｓ７０）。
【００４２】
図９に居場所情報の更新手順の例を示す。ＣＰＵ２１により、現在位置受付手段２８から現在の位置座標を受付け（Ｓ１０）、ＲＡＭ２２に記憶する。例えば、５分間隔、より好ましくは１分間隔で、位置座標を受付ける。受付けた位置座標に対応する場所番号及び場所名を、ＣＰＵ２１により、場所情報から取得（Ｓ１２）してＲＡＭ２２に記憶する。現在の居場所が場所情報に登録されていない等の理由で、取得が完了しない場合（Ｓ１４：ＮＯ）、ＣＰＵ２１により、居場所情報の更新処理を終了する。
【００４３】
場所情報から居場所が取得できない場合は、ＣＰＵ２１により、居場所の入力を指示するメッセージを、液晶パネル等の出力手段２６に出力し、居場所の入力を受付ける。居場所及びスケジュールの入力画面等の入力インタフェイスは、各携帯端末独自のものを使用できるため、従来のＨＴＭＬページに比べて、入力を容易に行うことが可能になる。
【００４４】
取得が完了した場合（Ｓ１４：ＹＥＳ）、ＣＰＵ２１により、場所修正情報の修正対象場所番号に基づいて、取得した場所番号が修正対象であるか否かを判定（Ｓ１６）する。修正対象の場合（Ｓ１６：ＹＥＳ）、ＣＰＵ２１により、場所修正情報の修正対象時間に基づいて、現在時刻が修正対象であるか否かを判定（Ｓ１８）する。修正対象の場合（Ｓ１８：ＹＥＳ）、ＣＰＵ２１により、場所修正情報の修正条件に基づいて、修正するか否かを判定（Ｓ２０）する。
【００４５】
修正条件を満足する場合（Ｓ２０：ＹＥＳ）は、ＣＰＵ２１により、居場所情報を、修正後場所番号及び修正後場所名に更新する（Ｓ２２）。修正条件を満足しない場合（Ｓ１６：ＮＯ、Ｓ１８：ＮＯ、Ｓ２０：ＮＯ）は、ＣＰＵ２１により、居場所情報を、取得（Ｓ１２）した場所番号及び場所名に更新する（Ｓ２４）。
【００４６】
上述した実施の形態においては、スケジュール情報の日時データ（日時）及び場所データ（場所番号、場所名）に基づいて、居場所データ（居場所情報）を更新する方法と、ＧＰＳ受信機等から受付けた現在位置情報及び予め記憶してある場所情報に基づいて、居場所データを更新する方法と、予め記憶してある場所修正情報に基づいて、居場所データを修正する方法とを用いたが、前記３つの方法の何れか１つ又は２つを用いることも可能である。
【００４７】
また、上述した実施の形態では、各携帯端末２０で、（ａ）スケジュール情報の日時データ及び場所データに基づいて、居場所データを更新し、（ｂ）ＧＰＳ受信機等から受付けた現在位置情報及び予め記憶してある場所情報に基づいて、居場所データを更新し、（ｃ）予め記憶してある場所修正情報に基づいて、居場所データを修正したが、前記（ａ）〜（ｃ）の処理の何れか１つ又は２つ、あるいは全部を、サーバ１０で行うことも可能である。この場合、スケジュール情報及び居場所情報、現在位置情報等は、携帯端末２０からサーバ１０に送られる。
【００４８】
（付記１）　時計部と、行動把握対象の移動先に関する場所データ及び日時データを含むスケジュール情報、時計部で計時された時刻の移動先に関する居場所データを記憶する記憶部とを備え、スケジュール情報及び居場所データを更新する情報処理装置を使用した行動把握方法において、
スケジュール情報から、時計部で計時された時刻に対応する場所データを取得するステップと、
居場所データを、スケジュール情報から取得した場所データに更新するステップと
を有することを特徴とする行動把握方法。
（付記２）　時計部と、行動把握対象の移動先に関する場所データ及び日時データを含むスケジュール情報、時計部で計時された時刻の移動先に関する居場所データを記憶する記憶部とを備え、スケジュール情報及び居場所データを更新する情報処理装置を使用した行動把握方法において、
情報処理装置は、時計部で計時された時刻の移動先に関する位置情報を受付ける受付部を備え、居場所データに使用できる場所データ及び該場所データに対応する位置情報を記憶しており、
時計部で計時された時刻の移動先に関する位置情報を受付けるステップと、
受付けた位置情報に対応する場所データを取得するステップと、
居場所データを、取得した場所データに更新するステップと
を有することを特徴とする行動把握方法。
（付記３）　時計部と、行動把握対象の移動先に関する場所データ及び日時データを含むスケジュール情報、時計部で計時された時刻の移動先に関する居場所データを記憶する記憶部とを備え、スケジュール情報及び居場所データを更新する情報処理装置を使用した行動把握方法において、
情報処理装置には、居場所データの修正条件及び修正条件を満たす場合の修正用居場所データが記憶されており、
修正条件に基づいて、居場所データを修正するか否かを判定するステップと、
判定に応じて居場所データを修正するステップと
を有することを特徴とする行動把握方法。
（付記４）　時計部と、行動把握対象の移動先に関する場所データ及び日時データを含むスケジュール情報、時計部で計時された時刻の移動先に関する居場所データを記憶する記憶部とを備え、スケジュール情報及び居場所データを更新する行動把握装置において、
スケジュール情報から、時計部で計時された時刻に対応する場所データを取得する手段を備え、
居場所データを、スケジュール情報から取得した場所データに更新すべくなしてあることを特徴とする行動把握装置。
（付記５）　時計部と、行動把握対象の移動先に関する場所データ及び日時データを含むスケジュール情報、時計部で計時された時刻の移動先に関する居場所データを記憶する記憶部とを備え、スケジュール情報及び居場所データを更新する行動把握装置において、
居場所データに使用できる場所データ及び該場所データに対応する位置情報を記憶する記憶部と、
時計部で計時された時刻の移動先に関する位置情報を受付ける手段と、
受付けた位置情報に対応する場所データを取得する手段と
を備え、居場所データを、取得した場所データに更新すべくなしてあることを特徴とする行動把握装置。
（付記６）　時計部と、行動把握対象の移動先に関する場所データ及び日時データを含むスケジュール情報、時計部で計時された時刻の移動先に関する居場所データを記憶する記憶部とを備え、スケジュール情報及び居場所データを更新する行動把握装置において、
居場所データの修正条件及び修正条件を満たす場合の修正用居場所データを記憶する記憶部と、
修正条件に基づいて、居場所データを修正するか否かを判定する手段と
を備え、判定に応じて居場所データを修正すべくなしてあることを特徴とする行動把握装置。
（付記７）　付記４〜６の何れかに記載の行動把握装置と、
行動把握装置から居場所データを取得する中央装置と
を備えることを特徴とする行動把握システム。
（付記８）　付記４〜６の何れかに記載の行動把握装置と、
各行動把握装置のアドレスを記憶するアドレス記憶部、各行動把握装置の居場所データの閲覧要求を受付ける手段、閲覧を要求された居場所データが記憶されている行動把握装置のアドレスを取得する手段を有し、取得したアドレスの行動把握装置から居場所データを取得し、閲覧要求元に送信すべくなしてある中央装置と
を備えることを特徴とする行動把握システム。
（付記９）　付記４〜６の何れかに記載の行動把握装置と、
各行動把握装置のアドレスを記憶するアドレス記憶部、各行動把握装置のスケジュール情報の閲覧要求を受付ける手段、閲覧を要求されたスケジュール情報が記憶されている行動把握装置のアドレスを取得する手段を有し、取得したアドレスの行動把握装置からスケジュール情報を取得し、閲覧要求元に送信すべくなしてある中央装置と
を備えることを特徴とする行動把握システム。
（付記１０）　居場所データを入力する端末装置と、
端末装置から居場所データを受付けて記憶する付記４〜６の何れかに記載の行動把握装置と
を備えることを特徴とする行動把握システム。
（付記１１）　付記４〜６の何れかに記載の行動把握装置のアドレスを記憶するアドレス記憶部と、
各行動把握装置の居場所データの閲覧要求を受付ける手段と、
閲覧を要求された居場所データが記憶されている行動把握装置のアドレスを取得する手段と
を備え、取得したアドレスの行動把握装置から居場所データを取得し、閲覧要求元に送信すべくなしてあることを特徴とする中央装置。
（付記１２）　時刻を計時し、行動把握対象の移動先に関する場所データ及び日時データを含むスケジュール情報を記憶するコンピュータに、計時された時刻の移動先に関する居場所データを記憶させるコンピュータプログラムにおいて、
コンピュータに、スケジュール情報から、計時された時刻に対応する場所データを取得させる手順と、
コンピュータに、居場所データを、スケジュール情報から取得した場所データに更新させる手順と
を含むことを特徴とするコンピュータプログラム。
（付記１３）　時刻を計時し、行動把握対象の移動先に関する場所データ及び日時データを含むスケジュール情報を記憶するコンピュータに、計時された時刻の移動先に関する居場所データを記憶させるコンピュータプログラムにおいて、
居場所データに使用できる場所データ及び該場所データに対応する位置情報が予め記憶されており、
コンピュータに、計時された時刻の移動先に関する位置情報を受付けさせる手順と、
コンピュータに、受付けた位置情報に対応する場所データを取得させる手順と、
コンピュータに、居場所データを、取得した場所データに更新させる手順と
を含むことを特徴とするコンピュータプログラム。
（付記１４）　時刻を計時し、行動把握対象の移動先に関する場所データ及び日時データを含むスケジュール情報を記憶するコンピュータに、計時された時刻の移動先に関する居場所データを記憶させるコンピュータプログラムにおいて、
居場所データの修正条件及び修正条件を満たす場合の修正用居場所データが予め記憶されており、
コンピュータに、修正条件に基づいて、居場所データを修正するか否かを判定させる手順と、
コンピュータに、判定に応じて居場所データを修正させる手順と
を含むことを特徴とするコンピュータプログラム。
（付記１５）　付記１２〜１４の何れかに記載のコンピュータプログラムを記録してあることを特徴とするコンピュータでの読み取りが可能な記録媒体。
【００４９】
【発明の効果】
本発明によれば、スケジュール情報の日時データ及び場所データから居場所データを取得できるため、スケジュール情報に入力済みの場所に関しては、居場所データの入力を省略することが可能になる。
【００５０】
また、本発明によれば、現在位置情報に対応する場所を取得できるため、位置情報が記憶されている場所に関しては、前記場所に居ることを検出して居場所データを更新することができる。居場所データの入力を省略することが可能になる。
【００５１】
また、本発明によれば、修正条件に応じて居場所データを修正できるため、居場所データの入力忘れ等による誤った居場所を修正し、正しい居場所に更新することができる。居場所データの入力を省略することが可能になる。
【図面の簡単な説明】
【図１】本発明に係る行動把握装置を備えた行動把握システムの例を示すブロック図である。
【図２】サーバの例を示すブロック図である。
【図３】利用者情報の例を示す図である。
【図４】携帯端末の例を示すブロック図である。
【図５】（ａ）はスケジュール情報の例を示す図であり、（ｂ）は居場所情報の例を示す図である。
【図６】（ａ）は場所情報の例を示す図であり、（ｂ）は場所修正情報の例を示す図である。
【図７】スケジュールの閲覧手順の例を示すフローチャートである。
【図８】居場所の閲覧手順の例を示すフローチャートである。
【図９】居場所情報の更新手順の例を示すフローチャートである。
【符号の説明】
１０　サーバ（中央装置）
１３　ハードディスク（アドレス記憶部）
２０　携帯端末（行動把握装置）
２１　ＣＰＵ（時計部）
２３　フラッシュメモリ（記憶部）
２８　現在位置受付手段（受付部）
３０　端末装置
４２，４４　通信ネットワーク
【図１】
2004046737.tif 000003
【図２】
2004046737.tif 000004
【図３】
2004046737.tif 000005
【図４】
2004046737.tif 000006
【図５】
2004046737.tif 000007
【図６】
2004046737.tif 000008
【図７】
2004046737.tif 000009
【図８】
2004046737.tif 000010
【図９】
2004046737.tif 000011